(57)【要約】      （修正有）【課題】美容整体用手足モデルとの連結が強固で着脱便利な支持構造を提供する。【解決手段】ベースの先端部はパイプ状を呈し、パイプ壁には複数の半径方向貫通孔が配置され、各貫通孔にはパイプ壁の半径方向に沿って移動可能であるボールが内蔵されており、ベースのパイプ内側にはベース軸方向に弾性伸縮する内側バネが配置されている。ベースのパイプの外側には、外側バネと連結されベースの軸方向に移動可能であって、内側壁に凸状リングが設けられた可動リングが嵌合されており、外側バネが伸展すると、凸状リングがボールをベースのパイプ壁内側方向へ押し込まれ、継手部材の外周にはリング状の凹溝が設けてある。継手部材とベースとが連結した状態において、継手部材の末端側がベースのパイプ内に挿入され、内側バネが継手部材により圧縮された状態になり、各ボールが凹溝に嵌め込まれた状態となる。【選択図】図２
0003109225.tif 000002
【実用新案登録請求の範囲】
【請求項１】
支持構造をテーブル(６)に固定するための固定機構(１)と、固定機構(１)と連結するベース(３)と、手足モデル(５)を連結するための継手部材(４)とを備える美容整体用手足モデルの固定用支持構造において、
上記ベース(３)の先端がパイプ状を呈し、当該パイプ壁には複数の半径方向貫通孔(38)がリング状に配置され、各貫通孔(38)内には、直径がパイプ壁の板厚より大きく、パイプ壁の半径方向に沿って移動可能であるボール(34)が内蔵されており、ベース(３)のパイプの内側にはベース軸方向に弾性伸縮する内側バネ(33)が設けられており、ベース(３)のパイプの外側には、外側バネ(32)と連結されベース(3)の軸方向に移動可能であって、内側壁に凸状リング(35)が設けられた可動リング(31)が嵌合されており、外側バネ(32)が伸展した状態において、上記凸状リング(35)が上記各ボール(34)をベース(３)のパイプ壁内側方向へ押し込み、
上記継手部材(4)の外周にはリング状の凹溝(42)があり、継手部材(4)とベース(3)との連結した状態において、継手部材(4)の先端側がベース(3)のパイプから外側に延伸し、継手部材(4)の末端側がベース(3)のパイプ内部に挿入され、内側バネ(33)が圧縮され、上記各ボール(34)の一部が上記リング状の凹溝(42)に嵌り込んでいることを特徴とする美容整体用手足モデルの固定用支持構造。
【請求項２】
上記継手部材(4)の先端側にはボルト又はネジ穴(41)が備えられていることを特徴とする請求項1に記載の支持構造。
【請求項３】
上記固定機構(１)と上記ベース(３)との間はフレキシブル金属パイプ(２)により連結されていることを特徴とする請求項1に記載の支持構造。
【請求項４】
ベース(３)のパイプ内に配置された上記内側バネ(33)は、一端がベース(３)と連結され他端が可動部材(36)と連結されていることを特徴とする請求項1に記載の支持構造。
【請求項５】
上記可動部材(36)は杯状の開口部形状を有し、継手部材(4)をベース(3)と連結する際、上記継手部材(4)の末端側が可動部材(36)の杯状開口部キャビティー内に挿入され、前記リング状の凹溝(42)が可動部材(36)の杯状開口部キャビティーの外側に位置し、継手部材(４)がベース(3)から離れる際、上記可動部材(36)の杯状開口部壁が上記各ボール(34)の内側に位置し、各ボール(34)をベース(３)のパイプ壁の外側に向かって押圧することを特徴とする請求項4に記載の支持構造。
【考案の詳細な説明】
【技術分野】
【０００１】
本考案は美容整体に係る教授用具に関し、更に詳細には美容整体技術の教授用手足モデルを固定するための支持構造に関するものである。
【背景技術】
【０００２】
美容整体技術を教授する際に、手のモデルや足のモデルを使用してマッサージ技術や爪にマニュキアを塗布する技術などを実演して見せたり、これらの訓練を行うことがある。従来一般的に見られる手足モデルを固定支持する構造は、支持部の底部には支持部をテーブルに固定するための真空吸着盤が付けてあり、支持部の先端にはある角度内で揺動可能で且つ位置決めできる一本の連結棒が設けられ、連結棒にはネジ穴の付いたリングが固定され、手足モデルの底部に設けたボルトがそのネジ穴と嵌合することによって、手足モデルは支持構造に固定できるような構造となっている。このような支持構造によって手足モデルを支持する場合、連結棒に嵌めてあるリングが連結棒から脱離しやすいので、手足モデルが支えから脱離しやすくなる一方、連結棒が限られた範囲内、わずかに方向を変更できるだけで、高低調節ができなく、使用するのには不便であった。
【考案の開示】
【考案が解決しようとする課題】
【０００３】
本考案の主たる目的としては手足モデルとの連結が強固で着脱便利な手足モデルの支持構造を提供することにある。
【０００４】
本考案の別の目的としては高低及び多方向調節可能な手足モデルの支えを提供することにある。
【課題を解決するための手段】
【０００５】
上記主たる目的を達成するため、本考案は、支持構造をテーブルに固定するための固定機構と、固定機構と連結するベースと、手足モデルを固定するための継手部材とを備える支持構造において、
ベースの先端がパイプ状を呈し、パイプ壁には複数の半径方向貫通孔がリング状に配置され、これらの半径方向貫通孔には、直径がパイプ壁の板厚より大きく、パイプ壁の半径方向に沿って移動可能なボールが内蔵されており、ベースのパイプの内側にはベース軸方向に弾性伸縮する内側バネが設けられており、ベースのパイプの外側には、外側バネと連結されベースの軸方向に移動可能であって、内側壁に凸状リングが設けられた可動リングが嵌合されており、外側バネが伸張した状態において、可動リング内側壁に設けられた凸状リングによって、上記各ボールがベースのパイプ壁外側表面から突起しないように各ボールをパイプ壁内側方向へ押し込み、継手部材の外周にはリング状の凹溝があり、継手部材とベースとを連結した状態において、継手部材の先端側がベースのパイプから外側に延伸し、継手部材の末端側がベースのパイプ内部に挿入され、内側バネが継手部材により圧縮され、各ボールの一部が上記リング状の凹溝に嵌り込んでいることを特徴とする支持構造である。
【０００６】
更に、本考案において、上記リング状の凹溝の軸方向断面形状が弧状又は台形状を呈していることを特徴とする。
【０００７】
上記継手部材の先端側には手足モデルの底部に設けられたボルト又はネジ穴と連結するためのネジ穴又はボルトを備えている。 いうまでもないことであるが、上記継手部と手足モデルとを一体に固定した構造としてもよい。
【０００８】
上記固定機構は固定ボルトの付いた「コ」字形の固定フレームであってもよい。
【０００９】
支持構造の高さ及び方向を自由に調節できるように、上記固定機構と上記ベースとの間はフレキシブルな金属パイプにより連結してもよい。
【００１０】
継手部材をベースのパイプ内に挿入しやすくするため、ベースのパイプ内部に杯状の開口部形状有する可動部材を設け、継手部材とベースとを連結する際、上記継手部材の末端側が可動部材の杯状の開口部を有するキャビティー内に挿入され、前記リング状の凹溝が可動部材の杯状の開口部を有するキャビティーの外側にあり、継手部材をベースから分離する際、上記可動部材の杯状の開口部外壁が上記各ボールの内側に位置し、各ボールをベースのパイプ壁の外側へ押すようになっている。
【００１１】
本考案は、「コ」字形の固定フレームによってテーブルを挟持し、固定ボルトを締め付けることによって支持構造を固定するようにしている。螺合したネジ穴とボルトにより、継手部材の先端と手足モデル底部とを固定連結する。
【００１２】
継手部材の末端側がベースのパイプ内部に挿入され、ベースのパイプ壁に設けた各ボールの一部が継手部材の上記リング状の凹溝に嵌り込み、可動リング内側壁の凸状リングによって各ボールが外へ移動できないように制限されることにより、継手部材とベースとを固定するようになる。この際、ベースのパイプ内に設けられた内側バネが継手部材に圧縮された状態になる。フレキシブルな金属パイプを曲げることにより、手足モデルの高さと方向を任意に調節し、位置決めすることができる。使用後に継手部材を取り外す際、可動リングを移動させ、凸状リングが各ボールから外れて、ベースのパイプ内の内側バネが弾性力により復元し、継手部材を外へ押し出すことになるため、手足モデルを取り外すことができる。
【考案の効果】
【００１３】
従来技術と違って、本考案の支持構造は、ボールが凹溝に嵌り込むことにより継手部材とベースとを固定するものであるため、手足モデルと支持構造とを強固に連結することができる。 また、これを取り外す際には、可動ブロックを押し込むだけで、凸状リングとボールとの接触を解除し、継手部材がベースから押し出されるようになり、操作が簡単であり使用するのに便利である。ベース内に、杯状の開口部形状有する可動部材を設けることにより、継手部材がベースから分離される際に、各ボールがベースのパイプ壁の外側へ押されるようになるため、再度継ぎ手部材を連結する時に、可動リングを移動する必要がなく、各ボールがリング状の凹溝に嵌め込まれるまで継手部材をベースのパイプ内へ押し込めば良く、使用に際しては速く簡単に操作することができる。固定機構とベースとの間はフレキシブルな金属パイプにより連結されているため、モデルを任意方向及び任意の高さに調節することができ、自由に位置決めすることができる。 従って、モデルを使用することがより便利になるという効果を奏する。
【考案を実施するための最良の形態】
【００１４】
図面を参照しながら本考案の具体的な実施形態を詳細に説明する。
【００１５】
実施例１
図1に示すように、本考案の支持構造は、「コ」字形の固定フレーム（即ち、固定機構）１と、フレキシブル金属パイプ２と、ベース３と、継手部材４の部分からなる。「コ」字形の固定フレームに設けた固定ボルト１１を締め付けて、支持構造全体をテーブル６に固定するようになる。継手部材４の先端側に設けたネジ穴４１が手足モデル５の底部のネジ５１と螺合することにより、手足モデル５は支持構造と連結される。手足モデル５を使用する際、手足モデル５の方向及び高さを調節するために、必要に応じてフレキシブル金属パイプ２を任意に湾曲させる。 支持構造の見栄えと耐久性を改善するため、フレキシブル金属パイプ２に代えて、プラスチック製のフレキシブルパイプを使用するようにしても良い。
【００１６】
図2に示すように、ベース３の先端側はパイプ状となっており、当該パイプの外側には可動リング３１と外側バネ３２とが嵌合されている。外側バネ３２による弾性支持により、可動リング３１は一定範囲内でベース軸に沿って上下移動することができるようになっている。可動リング３１の内側壁には、凸状のリング３５が設けられている。可動リング３１がスムーズに上下移動できるように凸状リング３５の内径はベース３の外径よりわずかに大きく設定されている。
【００１７】
ベース３のパイプ壁には複数の半径方向貫通孔３８がリング状に配置され、各貫通孔38の中には各々一つのボール34が設置されている。ボール３４は貫通孔38内を半径方向に移動できるようになっていると共に、一定寸法だけベース３のパイプ壁の内側と外側とに向けてボール３４の一部が突起するようにして、且つ貫通孔38からボール３４が脱落しないようにボール３４の直径は貫通孔３８より小さく、且つパイプ壁の板厚より大きく設定されている。
【００１８】
外側バネ３２が伸展した状態の時に、凸状リング３５が各ボール３４の外側にあるため、各ボール３４の一部がベース３のパイプの内側壁から内側に向かって突起する。ベース3内には杯状の開口部形状有する可動部材３６と内側バネ３３とが配置され、可動部材３６の底部は内側バネ３３の先端側と連結され、内側バネ３３の底部はベース３の内側壁の肩部と連結されている。
【００１９】
手足モデルと連結した状態で、継手部材４は、杯状の開口部形状有する可動部材３６の内側に挿入され、ネジ穴41によって手足モデル５と連結された継手部材４の先端側がベース３の外に延伸している。凸状リング３５に圧迫された各ボール３４がちょうど継手部材４の中間部外周に設けたリング状の凹溝４２に嵌め込まれ、継手部材４がベース３と強固に連結されるようになる。この際、内側バネ３３は圧縮された状態にある。
【００２０】
手足モデル５を支持構造から取り外す際、まず継手部材４をベースと分離させる。図3に示すように、手で可動リング３１を押し下げることにより、外側バネ３２が圧縮され、凸状リング３５が各ボール３４から離脱する。圧縮された内側バネ３３が弾性的な復元力により上方へ移動して、杯状の開口部形状有する可動部材３６を押し上げ、継手部材４がベース３の外に押し出される．この際、可動部材３６の杯状の開口部がちょうど各ボール３４の内側にあり、各ボール34をベース３のパイプ壁の外側に押しつけ、凸状リング３５の付いた可動リング３１が上方へ移動するのを阻止する。
【００２１】
このようにベース3から継手部材4を分離した後、手足モデル5と継手部材４とを固定していたネジを緩めて、手足モデル5を取り外すことになる。
【００２２】
なお、いうまでもないことであるが、継手部材４と手足モデル5とを一体に加工することも可能である。
【００２３】
再び、手足モデルを取り付けようとする場合、継手部材４と手足モデル5とを固定した後、杯状の開口部形状有する可動部材３６とともに継手部材４をベース３のパイプ内に押し込み、リング状の凹溝４２が各ボール３４の内側に達すると、外側バネ３２の弾性復元力により、凸状リング３５によって各ボール３４を外側から内側に向けて押して、各ボール３４をリング状の凹溝４２の中に押し込み、再び図2に示すような状態になる。
【００２４】
内側バネ３３により継手部材４をスムーズに押し出すことができるようにするために、継手部材４の外周に設けたリング状の凹溝４２の軸方向断面における形状が弧状または台形状にしても良い。可動部材３６と継手部材４との衝突を緩和するために、それらの接触面にゴムクッション３７を設けるようにしても良い。
【００２５】
実施例２
図４、５に示すように、実施例2と実施例１と違う点は、ベース3内に位置する可動部材３６が実施例1においては杯状の開口部形状有するものであったのに対して、実施例2においてはブロック状の形状を有していることである。
【００２６】
実施例2の可動部材３６以外の構成はほぼ実施例1の構成と同様である。このような構成を採用することにより、構造が単純で、加工しやすく、製造コストを低減することができるという利点がある。但し、継手部材4を挿入する前に、手で可動リング３１を下へ移動させて凸状リング３５を各ボールから離しておく必要がある。
【図面の簡単な説明】
【００２７】
図１は、実施例１に係る支持構造の構成を示した図である。
【００２８】
図２は、実施例１における継手部材とベースとが連結した状態での構成を示した図である。
【００２９】
図３は、実施例１における継手部材とベースとが脱離した状態での構成を示した図である。
【００３０】
図４は、実施例２における継手部材とベースとが連結した状態での構成を示した図である。
【００３１】
図５は、実施例２における継手部材とベースとが脱離した状態での構成を示した図である。
【符号の説明】
【００３２】
1       固定機構
2       フレキシブル金属パイプ
3       ベース
4       継手部材
5       手足モデル
31      可動リング
32      外側バネ
33      内側バネ
34      ボール
35      凸状リング
36      可動部材
37      ゴムクッション
38      貫通孔
41      ネジ穴
【図１】
0003109225.tif 000003
【図２】
0003109225.tif 000004
【図３】
0003109225.tif 000005
【図４】
0003109225.tif 000006
【図５】
0003109225.tif 000007